(57)【特許請求の範囲】
【請求項１】
移動端末に対し、書込み制御装置が無線書込用基地局を介して上記移動端末に係る加入者データを書込む加入者データ無線書込システムにおいて、
上記書込み制御装置は、
上記無線書込用基地局から、一般的な基地局と同様な自局の存在を報知させるための存在報知メッセージに加え、自局が無線書込用基地局であることを表す書込報知メッセージを、間欠的に繰り返し送信させるメッセージ送信手段を有し、
上記移動端末は、
加入者データの書込モードにおいて、上記存在報知メッセージ及び上記書込報知メッセージに基づいて、電波を受信可能な近傍に位置している基地局の探索と同時に、その基地局が上記無線書込用基地局であるかを判別する基地局探索手段と、
探索された上記無線書込用基地局との無線リンクを確立させて、上記加入者データを取り込む加入者データ取込手段とを有する
ことを特徴とする加入者データ無線書込システム。
【請求項２】
移動端末に対し、書込み制御装置が無線書込用基地局を介して上記移動端末に係る加入者データを書込む加入者データ無線書込方法において、
上記書込み制御装置は、上記無線書込用基地局から、一般的な基地局と同様な自局の存在を報知させるための存在報知メッセージに加え、自局が無線書込用基地局であることを表す書込報知メッセージを、間欠的に繰り返し送信させ、
上記移動端末は、加入者データの書込モードにおいて、上記存在報知メッセージ及び上記書込報知メッセージに基づいて、電波を受信可能な近傍に位置している基地局の探索と同時に、その基地局が上記無線書込用基地局であるかを判別し、探索された上記無線書込用基地局との無線リンクを確立させて、上記加入者データを取り込む
ことを特徴とする加入者データ無線書込方法。
【発明の詳細な説明】
【技術分野】
【０００１】
本発明は加入者データ無線書込システム及び方法に関し、例えば、内線端末の全て又は一部がＰＨＳ端末であるＰＢＸ（構内交換機）システムに適用し得るものである。
【背景技術】
【０００２】
例えば、構内ＰＨＳ端末（以下、ＰＨＳ端末をＰＳと呼ぶ）をＰＢＸに接続するために、ＰＢＸに設定する加入者データ（例えば、ＰＳ番号、内線番号、システムＩＤなど）と同等のデータを、事前にＰＳに設定する必要がある。
【０００３】
従来のＰＳは、初めて電源が投入された場合や、加入者データの書込み動作を指示するキー操作がなされた場合には、図２に示すような加入者データの書込み動作を行っていた。加入者データの設定を行うためには、ＰＳはまず、無線書込用基地局（以下、書込用ＣＳと呼ぶ）を検索する必要がある。ＰＳは書込用ＣＳとの無線リンクを確立することにより、加入者データの書込みを実現することができる。
【０００４】
まず、ＰＳは、電波を受信できる全ての基地局（書込用ＣＳを含む；以下、基地局をＣＳと呼ぶ）を検索し（Ｓ１００）、検索された全てのＣＳを電波レベルの強い順に並べたリストを作成する（Ｓ１０１）。そして、そのリストに従い、１個ずつ、そのＣＳが書込用ＣＳであるかを、止まり木チャネルの報知メッセージ（ＣＳ情報の１ビットとして書込用ＣＳか否かのビットが設けられている；非特許文献１参照）に従い確認し（Ｓ１０２、Ｓ１０３）、書込用ＣＳが見付かると、無線リンクを確立させて加入者データの設定処理を行う（Ｓ１０４）。なお、リストの最後まで書込用ＣＳを発見できなかった場合、又は、ある一定の時間以内に書込用ＣＳを発見できなかった場合は、加入者データの書込みは失敗となる。
【非特許文献１】ＲＣＲ  ＳＴＤ−２８
【発明の開示】
【発明が解決しようとする課題】
【０００５】
加入者データを設定する環境は、一般的にＰＳを収容するＰＢＸが設置される場所で行われることが多い。この場合、必然的にＰＢＸに収容される多くの他のＣＳが電波を送信している状態となっている。ＰＳは、これら多数のＣＳの中から、書込用ＣＳを検索しなければならない。
【０００６】
上述した従来方法であると、受信ＣＳリストの上位に書込用ＣＳが存在するとは限らず、書込用ＣＳを発見するのに要する時間がかかり、結果的に一定時間以内に書込用ＣＳを発見できず、書込み失敗となる恐れも大きい。
【０００７】
そのため、加入者データの移動端末への書込みをより確実に実行することができる加入者データ無線書込システム及び方法が望まれている。
【課題を解決するための手段】
【０００８】
かかる課題を解決するため、第１の本発明は、移動端末に対し、書込み制御装置が無線書込用基地局を介して上記移動端末に係る加入者データを書込む加入者データ無線書込システムにおいて、（１）上記書込み制御装置は、上記無線書込用基地局から、一般的な基地局と同様な自局の存在を報知させるための存在報知メッセージに加え、自局が無線書込用基地局であることを表す書込報知メッセージを、間欠的に繰り返し送信させるメッセージ送信手段を有し、（２）上記移動端末は、加入者データの書込モードにおいて、上記存在報知メッセージ及び上記書込報知メッセージに基づいて、電波を受信可能な近傍に位置している基地局の探索と同時に、その基地局が上記無線書込用基地局であるかを判別する基地局探索手段と、探索された上記無線書込用基地局との無線リンクを確立させて、上記加入者データを取り込む加入者データ取込手段とを有することを特徴とする。
【０００９】
また、第２の本発明は、移動端末に対し、書込み制御装置が無線書込用基地局を介して上記移動端末に係る加入者データを書込む加入者データ無線書込方法において、（１）上記書込み制御装置は、上記無線書込用基地局から、一般的な基地局と同様な自局の存在を報知させるための存在報知メッセージに加え、自局が無線書込用基地局であることを表す書込報知メッセージを、間欠的に繰り返し送信させ、（２）上記移動端末は、加入者データの書込モードにおいて、上記存在報知メッセージ及び上記書込報知メッセージに基づいて、電波を受信可能な近傍に位置している基地局の探索と同時に、その基地局が上記無線書込用基地局であるかを判別し、探索された上記無線書込用基地局との無線リンクを確立させ
て、上記加入者データを取り込むことを特徴とする。
【発明の効果】
【００１０】
本発明の加入者データ無線書込システム及び方法によれば、移動端末は、近傍に存在する基地局の探索時に同時にその基地局が無線書込用基地局かをも合わせて判断し、加入者データの取り込みに供する無線書込用基地局を定めるようにしたので、移動端末が加入者データを得るための所要時間を短縮でき、時間オーバーによる書込失敗という事象を未然に防止することができる。
【発明を実施するための最良の形態】
【００１１】
（Ａ）実施形態
以下、本発明による加入者データ無線書込システム及び方法を、ＰＨＳ端末を内線端末とするＰＢＸシステムに適用した一実施形態を、図面を参照しながら詳述する。
【００１２】
図１は、この実施形態の加入者データ無線書込システム１の詳細構成を示すブロック図である。
【００１３】
図１において、実施形態の加入者データ無線書込システム１は、加入者データ無線書込設備１０と、加入者データ設定対象のＰＳ２０とを有し、加入者データ無線書込設備１０とＰＳ２０との無線を介した通信により、ＰＳ２０に対して加入者データの書込みを行う。
【００１４】
加入者データ無線書込設備１０は、書込用ＣＳ１１と、加入者データ書込制御用プログラムＰＧ１をインストールしているパソコン（ＰＣ）などでなる書込み制御装置１２と、この書込み制御装置１２と書込用ＣＳ１１との間のインタフェースを担うインタフェースアダプタ装置１３から構成される。
【００１５】
書込用ＣＳ１１は、例えば、通常状態では他の一般的な基地局（ＣＳ）２１−１〜２１−Ｎと同様に、ＰＢＸ２２に収容されており、加入者データの書込み動作の必要時に、インタフェースアダプタ装置１３を介して書込み制御装置１２に接続され、書込用基地局として機能するものである。なお、書込用ＣＳ１１は、１台に限定されるものではなく、管轄エリアを異にするように複数台設けるようにしても良い。
【００１６】
書込み制御装置１２は、インストールしている加入者データ書込制御用プログラムＰＧ１に従い、図３に示すように、第１〜第３の報知メッセージＭ１〜Ｍ３を書込用ＣＳ１１から間欠的に繰り返し送信させる。
【００１７】
ここで、第１の報知メッセージＭ１及び第２の報知メッセージＭ２は、ＰＳ２０が待ち受け時に、書込用ＣＳ１１だけでなく一般的なＣＳ２１−ｎ（ｎは１〜Ｎ）も送信する自己の存在などを周囲のＰＳ２０に報知する２種類のメッセージである。これに対して、第３のメッセージＭ３は、書込用ＣＳ１１だけが送信する、自己が書込用ＣＳであることを報知させるためのメッセージである。第１〜第３の報知メッセージＭ１〜Ｍ３は、８オクテッド構成における第１番目のオクテッドに記述されているメッセージ種別で区別できる。
【００１８】
因みに、従来では、第１の報知メッセージＭ１や第２の報知メッセージＭ２における所定ビット（例えば、８オクテッド構成におけるオクテッド３のビット４）が書込用ＣＳか否かを表すフラグになっており、このフラグによって、書込用ＣＳであることを通知するようになされていた。
【００１９】
図４は、この実施形態のＰＳ２０が実行する加入者データの書込み動作を示すフローチャートであり、特に、書込用ＣＳ１１の探索面を中心に示したものである。ＰＳ２０は、この図４に示す動作を実行させるためのプログラムＰＧ２を内蔵している。
【００２０】
ＰＳ２０は、当該ＰＳの電源が初めて投入された場合や、加入者データの書込み動作を指示するキー操作がなされた場合などに、図４に示す動作を開始する。
【００２１】
ＰＳ２０は、図４に示す処理を開始すると、電波を受信できるＣＳ（書込用ＣＳを含む）を捕捉する（Ｓ２００）。そして、今回捕捉したＣＳの情報や、既に捕捉し内部記憶したＣＳの情報に基づき、電波を受信できるＣＳの全ての捕捉が終了しているか否かを判別する（Ｓ２０１）。ＣＳの全ての捕捉が終了していないと、今回捕捉したＣＳが書込用ＣＳか否かを判別する（Ｓ２０２）。上述のように、第３の報知メッセージＭ３を送信しているか否かにより、書込用ＣＳか否かを判別する。書込用ＣＳであると、書込用ＣＳリストに記述した後（Ｓ２０３）、書込用ＣＳでないと、直ちに、上述したステップＳ２００に戻る。
【００２２】
以上のように、この実施形態の場合、電波を受信できる全てのＣＳの探索と、探索ＣＳが書込用ＣＳであるか否かの判別とを同時並行的に実行している。
【００２３】
電波を受信できるＣＳの全ての捕捉が終了すると、ＰＳ２０は、書込用ＣＳリストに記述された書込用ＣＳ１１との無線リンクを確立させて加入者データの設定処理を行う（Ｓ２０４）。ここで、書込用ＣＳリストには、複数台の書込用ＣＳの情報が記述されることもあり、この場合には、受信電波の大きい書込用ＣＳを優先させる。
【００２４】
この実施形態の加入者データ無線書込システム及び方法によれば、電波を受信できる全てのＣＳの探索と、探索ＣＳが書込用ＣＳであるか否かの判別とを同時並行的に実行し、書込用ＣＳを書込用ＣＳリストに記述し、その書込用ＣＳとの無線通信により、加入者データを設定するようにしたので、従来方式に比較して、迅速に加入者データの書込を実行することができる。
【００２５】
因みに、従来では、周囲に存在するＣＳの探索動作を、加入者データの設定動作であろうと、通常の動作モードでの探索動作（例えば、ＰＳが電源オンされた直後の探索動作）であろうと区別することなく行い、その後の無線リンクの確立動作以降、加入者データの設定動作では異なる処理を行うようにしていた。
【００２６】
ここで、上記実施形態では、書込用ＣＳか否かを判断させる情報が、既存の報知メッセージの所定の１ビットではなく、新規な報知メッセージであるので、受信報知メッセージのビット位置などを計数するような処理を軽減でき、電波を受信できる全てのＣＳの探索と、探索ＣＳが書込用ＣＳであるか否かの判別とを同時並行的に実行し易いものとなっている。
【００２７】
また、仮に、書込失敗と判断する所定時間が設けられていても、上述したような理由により、加入者データの書込が迅速に実行されるので、所定時間を越えたことによる書込失敗を未然に防止することができる。
【００２８】
（Ｂ）他の実施形態
上記実施形態においては、加入者データの書込み対象の移動端末が構内ＰＨＳ端末であったが、他の移動端末であっても良く、しかも、必ずしも電話（通話）機能を有するものに限定されない（例えば、携帯型情報処理装置であっても良い）。
【００２９】
また、上記実施形態においては、ＰＳが電波を受信できる全ての書込用ＣＳをリストアップした後に、いずれかの書込用ＣＳと無線リンクを確立して加入者データを設定するものを示したが、書込用ＣＳの探索時において、最初に見付かった書込用ＣＳに対して直ちに、無線リンクを確立し、加入者データを設定する動作を行うようにしても良い。
【００３０】
さらに、上記実施形態においては、書込用ＣＳ１１は、インタフェースアダプタ装置１３を介して、加入者データ書込制御用プログラムＰＧ１をインストールしている書込み制御装置１２と接続され、書込み制御装置１２の制御を受けるものを示したが、書込用ＣＳ１１と書込み制御装置１２とをＰＢＸ２２を介して接続するようにしても良い。
【図面の簡単な説明】
【００３１】
【図１】実施形態の加入者データ無線書込システムの構成を示すブロック図である。
【図２】従来のＰＨＳ端末での加入者データの書込み動作を示すフローチャートである。
【図３】実施形態の無線書込用基地局からの報知メッセージの説明図である。
【図４】実施形態のＰＨＳ端末での加入者データの書込み動作を示すフローチャートである。
【符号の説明】
【００３２】
１…加入者データ無線書込システム、１０…加入者データ無線書込設備、１１…無線書込用基地局（書込用ＣＳ）、１２…書込み制御装置、１３…インタフェースアダプタ装置、２０…加入者データ設定対象のＰＨＳ端末（ＰＳ）。
【図１】
0004525542.tif 000002
【図２】
0004525542.tif 000003
【図３】
0004525542.tif 000004
【図４】
0004525542.tif 000005